(57)【要約】【課題】消費電力の低減及び回路規模の縮小【解決手段】  再生情報信号（ＲＦ信号）の振幅レベルを、再生情報信号のピーク値とボトム値から判別し、その判別したレベルに基づいて、目標とする再生情報信号レベルが得られるようにゲイン調整を行うことで、ゲイン調整を行うＡＧＣ回路や、再生情報信号自体をＡ／Ｄ変換してレベル検出を行う部位、即ち消費電力が大きく、回路規模も大きい回路系を設ける必要をなくす。ピーク値とボトム値の検出のための構成は、ディフェクト信号やミラー信号の生成のために通常、再生装置に備えられている既存の回路系を用いる。また、再生情報信号と、ピーク信号及びボトム信号の信号経路の違いにより、ピーク値とボトム値から判別した再生情報信号のレベルが、実際の再生情報信号のレベルと誤差を生ずる場合があるが、そのレベル誤差をあらかじめ判別して誤差値としておき、ピーク値、ボトム値、及び誤差値から再生情報信号のレベルを判別することで、再生情報信号レベルを適正に判別する。【選択図】      図４
2005317154.tif 000002
【特許請求の範囲】
【請求項１】
記録媒体に対してレーザ光の照射を行い、その反射光情報から再生情報信号を生成する情報信号生成手段と、
上記情報信号生成手段で得られる再生情報信号に対してゲインを与える可変ゲインアンプ手段と、
上記可変ゲインアンプ手段を介して供給される再生情報信号に対するデコード処理を行って再生データを得るデコード手段と、
上記情報信号生成手段で得られる再生情報信号のピーク値を検出するピーク検出手段と、
上記情報信号生成手段で得られる再生情報信号のボトム値を検出するボトム検出手段と、
上記ピーク検出手段及びボトム検出手段で得られるピーク値とボトム値から上記再生情報信号レベルを判別し、その判別した再生情報信号レベルに応じて、上記可変ゲインアンプ手段のゲインを可変制御する制御手段と、
を備えたことを特徴とする再生装置。
【請求項２】
上記制御手段は、上記ピーク値と上記ボトム値から判別される再生情報信号レベルが、目標とする再生情報信号レベルとなるゲイン値に、上記可変ゲインアンプ手段のゲインを設定することを特徴とする請求項１に記載の再生装置。
【請求項３】
上記制御手段は、上記可変ゲインアンプ手段から出力される再生情報信号のレベルと、上記ピーク値と上記ボトム値から判別される上記再生情報信号のレベルとの誤差を判別して誤差値とするとともに、
上記ピーク値、上記ボトム値、及び上記誤差値から判別される再生情報信号レベルが、目標とする再生情報信号レベルとなるゲイン値に、上記可変ゲインアンプ手段のゲインを設定することを特徴とする請求項１に記載の再生装置。
【請求項４】
記録媒体に対してレーザ光の照射を行い、その反射光情報から生成される再生情報信号に可変ゲインアンプでレベル調整をした後、デコード処理を行って再生データを得る再生装置における、上記可変ゲインアンプのゲイン調整方法として、
反射光情報から生成される再生情報信号のピーク値を検出するピーク検出ステップと、
反射光情報から生成される再生情報信号のボトム値を検出するボトム検出ステップと、
上記ピーク検出ステップ及びボトム検出ステップで得られるピーク値とボトム値から再生情報信号レベルを判別し、その判別した再生情報信号レベルに応じて、上記可変ゲインアンプのゲインを可変制御するゲイン制御ステップと、
を備えたことを特徴とするゲイン調整方法。
【請求項５】
上記ゲイン制御ステップでは、上記ピーク値と上記ボトム値から判別される再生情報信号レベルが、目標とする再生情報信号レベルとなるゲイン値に、上記可変ゲインアンプのゲインを設定することを特徴とする請求項４に記載のゲイン調整方法。
【請求項６】
上記ゲイン制御ステップでは、上記可変ゲインアンプから出力される再生情報信号のレベルと、上記ピーク値と上記ボトム値から判別される上記再生情報信号のレベルとの誤差を判別して誤差値とするとともに、
上記ピーク値、上記ボトム値、及び上記誤差値から判別される再生情報信号レベルが、目標とする再生情報信号レベルとなるゲイン値に、上記可変ゲインアンプのゲインを設定することを特徴とする請求項４に記載のゲイン調整方法。
【発明の詳細な説明】
【技術分野】
【０００１】
本発明は光ディスク、光磁気ディスク等の記録媒体に対する再生装置と、その再生装置における再生情報信号（ＲＦ信号）のゲイン調整方法に関するものである。
【背景技術】
【０００２】
【特許文献１】特開２００１−１７６０９７号公報
【特許文献２】特開平９−１９８６７０号公報
【０００３】
光学的に情報の記録または再生が可能な光記録媒体として光ディスクや光磁気ディスクが広く知られている。これらのディスクに対しては、半導体レーザ等のレーザ光を光源として用い、レンズを介して微小に集光した光ビームを照射することで、情報の記録を行い、また、光ビームを照射した際の反射光を検出することで、ディスクに記録された情報の再生を行う。
再生時には、フォトディテクタで検出した反射光量に応じた信号から、一般にＲＦ信号と呼ばれている再生情報信号が生成される。そしてこのＲＦ信号が２値化されてデコード処理、エラー訂正処理などが施されて再生データが得られる。
【０００４】
そして反射光量に応じて生成されるＲＦ信号は、一般にディスクの記録面内での反射率のバラツキの影響でレベル変動が生ずるが、このため例えばＲＦ信号に対するＡＧＣ回路（Auto Gain Control回路）を用いてＲＦ信号レベルを所定レベルに安定化させてから後段のデコード処理系に供給するようにしている。
【０００５】
図７に従来のＲＦ処理系の構成例を示す。
光学ヘッド内に配置されるフォトディテクタ９０により、ディスクに対してレーザ照射を行った際の反射光が検出される。フォトディテクタ９０としては、ＲＦ信号、フォーカスエラー信号、トラッキングエラー信号等を生成するために複数の受光面が所定のパターンに形成されており、各受光面から反射光量に応じた電気信号が出力され、ＲＦアンプ９１に供給される。
図示するＲＦアンプ９１内の構成としては、フォーカスエラー信号、トラッキングエラー信号等の生成にかかる回路系は省略している。
フォトディテクタ９０の各受光面からの信号はＲＦサミングアンプ１０１において演算処理され、例えば各受光面の和信号としてＲＦ信号が生成される。
ＲＦサミングアンプ１０１から出力されるＲＦ信号は、コンデンサ１０２でＤＣバイアス成分がカットされ、可変ゲインアンプ１０３でゲインが与えられる。そしてイコライザ１０４で処理されてＲＦアンプ９１から出力される。
ＲＦアンプ９１から出力されたＲＦ信号は、信号処理ＤＳＰ（Digital Signal Processor）９２においてアシンメトリ処理部１０８で２値化等が行われ、デコーダ１０９でデコード処理やエラー訂正処理が行われる。これにより再生データＤＴが得られる。
【０００６】
上記可変ゲインアンプ１０３は、そのゲインがＡＧＣ制御部１０５によって可変制御される。ＡＧＣ制御部１０５は、例えばイコライザ１０４から出力されるＲＦ信号のレベルを監視し、そのレベル変動に応じて可変ゲインアンプ１０３のゲインを変化させることで、ＲＦアンプ９１から出力されるＲＦ信号レベルを安定化するものである。
【０００７】
ところで、ＲＦサミングアンプ１０１から出力されるＲＦ信号は、ピークホールド回路１０６及びボトムホールド回路１０７にも供給される。
ピークホールド回路１０６では、ＲＦ信号エンベロープのピーク検出を行い、ピーク信号ＰＨを出力する。
ボトムホールド回路１０７では、ＲＦ信号エンベロープのボトム検出を行い、ボトム信号ＢＨを出力する。
ピーク信号ＰＨは信号処理ＤＳＰ９２においてＡ／Ｄ変換器１１０でデジタルデータ化され、ディフェクト信号生成部１１１に供給されて、ディスク上の傷や汚れの検出信号であるディフェクト信号ＤＦの生成に用いられる。
ボトム信号ＢＨは信号処理ＤＳＰ９２においてＡ／Ｄ変換器１１２でデジタルデータ化され、ミラー信号生成部１１３に供給されて、トラックジャンプ／シーク時のトラバース信号との位相比較に用いられるミラー信号ＭＩＲＲの生成に用いられる。
【０００８】
この図７のように、ＲＦアンプ９１内にＲＦ信号に対するＡＧＣ回路系が形成されることで、信号処理ＤＳＰ９２に供給されるＲＦ信号レベルが安定し、適切なデコード処理が可能となる。
また、図８のように構成される場合もある。なお図８において、図７と同一部分については同一符号を付し、説明を省略する。
図８の構成例では、信号処理ＤＳＰ９２側に、ＲＦアンプ９１から出力されるＲＦ信号に対するＤ／Ａ変換器１１４が設けられ、Ｄ／Ａ変換器１１４でデジタルデータ化されたＲＦ信号がゲイン制御部１１５に供給される。ゲイン制御部１１５は、Ａ／Ｄ変換器１１４からのＲＦ信号値を監視し、そのレベル変動に応じて可変ゲインアンプ１０３のゲインを変化させる。これにより、上記図７のＲＦアンプ９１内のＡＧＣ回路系と同様の動作が実現される。
【０００９】
なお、上記特許文献１には、ＲＦ信号に対してＡＧＣ回路を設ける構成が開示されている。また特許文献１、２では、ＲＦ信号のピーク値、ボトム値からＲＦ信号振幅を得、それに応じてトラッキングエラー信号、フォーカスエラー信号のゲイン調整を行う技術が開示されている。
【発明の開示】
【発明が解決しようとする課題】
【００１０】
上記の図７或いは特許文献１のように、従来、ＲＦ信号に関しては、ＡＧＣ回路によりゲイン調整を行っていた。
ところがＡＧＣ回路は消費電力が大きく、また回路規模が比較的大きくなることが知られている。このためＲＦアンプ９１内にＡＧＣ回路を設けることで、ＲＦアンプＩＣとしての消費電力が大きくなり、また構成の複雑化も生ずる。このことが再生装置に低消費電力化や回路規模の縮小が求められる場合に問題となる。
【００１１】
また、図８の構成とすれば、ＲＦアンプ９１側の構成が簡略化されるが、信号処理ＤＳＰではＡ／Ｄ変換器１１４が問題となる。即ちＡ／Ｄ変換器１１４は、ＲＦ帯域のサンプリング周波数を必要とするものとなる。これはピーク信号ＰＨ、ボトム信号ＢＨに対するＡ／Ｄ変換器１１０，１１２に比べて非常に高い周波数となる。つまり高サンプリング周波数で高速動作するＡ／Ｄ変換器１１４の搭載は、それ自体が回路規模的に負担となると共に、消費電力は増大する。つまり、図８の構成の場合も、消費電力や回路規模の点で図７と同様の問題が生ずる。
【課題を解決するための手段】
【００１２】
そこで本発明は、消費電力の低減及び回路規模の縮小を実現できる、ＲＦ信号のゲイン制御方式を提案する。
【００１３】
本発明の再生装置は、記録媒体に対してレーザ光の照射を行い、その反射光情報から再生情報信号を生成する情報信号生成手段と、上記情報信号生成手段で得られる再生情報信号に対してゲインを与える可変ゲインアンプ手段と、上記可変ゲインアンプ手段を介して供給される再生情報信号に対するデコード処理を行って再生データを得るデコード手段と、上記情報信号生成手段で得られる再生情報信号のピーク値を検出するピーク検出手段と、上記情報信号生成手段で得られる再生情報信号のボトム値を検出するボトム検出手段と、上記ピーク検出手段及びボトム検出手段で得られるピーク値とボトム値から上記再生情報信号レベルを判別し、その判別した再生情報信号レベルに応じて、上記可変ゲインアンプ手段のゲインを可変制御する制御手段とを備える。
また上記制御手段は、上記ピーク値と上記ボトム値から判別される再生情報信号レベルが、目標とする再生情報信号レベルとなるゲイン値に、上記可変ゲインアンプ手段のゲインを設定する。
或いは上記制御手段は、上記可変ゲインアンプ手段から出力される再生情報信号のレベルと、上記ピーク値と上記ボトム値から判別される上記再生情報信号のレベルとの誤差を判別して誤差値とするとともに、上記ピーク値、上記ボトム値、及び上記誤差値から判別される再生情報信号レベルが、目標とする再生情報信号レベルとなるゲイン値に、上記可変ゲインアンプ手段のゲインを設定する。
【００１４】
本発明のゲイン調整方法は、記録媒体に対してレーザ光の照射を行い、その反射光情報から生成される再生情報信号に可変ゲインアンプでレベル調整をした後、デコード処理を行って再生データを得る再生装置における、上記可変ゲインアンプのゲイン調整方法である。そして、反射光情報から生成される再生情報信号のピーク値を検出するピーク検出ステップと、反射光情報から生成される再生情報信号のボトム値を検出するボトム検出ステップと、上記ピーク検出ステップ及びボトム検出ステップで得られるピーク値とボトム値から再生情報信号レベルを判別し、その判別した再生情報信号レベルに応じて、上記可変ゲインアンプのゲインを可変制御するゲイン制御ステップとを備える。
上記ゲイン制御ステップでは、上記ピーク値と上記ボトム値から判別される再生情報信号レベルが、目標とする再生情報信号レベルとなるゲイン値に、上記可変ゲインアンプのゲインを設定する。
或いは、上記ゲイン制御ステップでは、上記可変ゲインアンプから出力される再生情報信号のレベルと、上記ピーク値と上記ボトム値から判別される上記再生情報信号のレベルとの誤差を判別して誤差値とするとともに、上記ピーク値、上記ボトム値、及び上記誤差値から判別される再生情報信号レベルが、目標とする再生情報信号レベルとなるゲイン値に、上記可変ゲインアンプのゲインを設定する。
【００１５】
即ち本発明では、再生情報信号（ＲＦ信号）の振幅レベルを、再生情報信号のピーク値とボトム値から判別し、その判別したレベルに基づいて、目標とする再生情報信号レベルが得られるようにゲイン調整を行うものである。
また、信号経路の違いにより、ピーク値とボトム値から判別した再生情報信号のレベルが、実際の再生情報信号のレベルと誤差を生ずる場合は、そのレベル誤差をあらかじめ判別しておき、レベル誤差を考慮してピーク値とボトム値から再生情報信号のレベルを判別する。
【発明の効果】
【００１６】
本発明によれば、再生情報信号（ＲＦ信号）の振幅レベルを、再生情報信号のピーク値とボトム値から判別し、その判別したレベルに基づいて、目標とする再生情報信号レベルが得られるようにゲイン調整を行う。このため、ＲＦアンプ内に再生情報信号自体のレベルを監視し、ゲイン調整を行うＡＧＣ回路を設ける必要はない。また或いは、再生情報信号自体をＡ／Ｄ変換してレベル検出を行う部位を設ける必要はない。つまり、消費電力が大きく、また回路規模も大きい回路系を設ける必要がなくなることから、再生装置の低消費電力化、回路規模縮小に好適となる。
また、ピーク値とボトム値の検出のための構成は、ディフェクト信号やミラー信号の生成のために通常、再生装置に備えられているものであるが、これら既存の回路系を用いて得られる信号を利用して再生情報信号のレベルを判別するため、既存回路を有効利用して回路規模の縮小を実現できるものともなる。
また、再生情報信号と、ピーク信号及びボトム信号の信号経路の違いにより、ピーク値とボトム値から判別した再生情報信号のレベルが、実際の再生情報信号のレベルと誤差を生ずる場合があるが、そのレベル誤差をあらかじめ判別して誤差値としておき、ピーク値、ボトム値、及び誤差値から再生情報信号のレベルを判別することで、再生情報信号レベルを適正に判別できる。従って適正なゲイン調整を行うことができ、安定した再生情報信号（ＲＦ信号）を得ることができる。
【発明を実施するための最良の形態】
【００１７】
以下、本発明の再生装置及びゲイン調整方法について、第１，第２の実施の形態をそれぞれ図面に沿って説明していく。
＜第１の実施の形態＞
図１により実施の形態の再生装置の構成を説明する。
光ディスク、光磁気ディスクなどとしてのディスク１は、再生装置において図示しないターンテーブルに積載され、再生動作時においてスピンドルモータ２によって一定線速度（ＣＬＶ）もしくは一定角速度（ＣＡＶ）で回転駆動される。そしてピックアップ（光学ヘッド）３によってディスク１に記録されているデータの読み出しが行なわれることになる。ディスク１においてデータは、そのディスク１の構造に応じて、例えばエンボスピット形態、磁界ピットマーク形態、相変化ピットマーク形態、色素ピットマーク形態などで記録されている。
【００１８】
ピックアップ３内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系、対物レンズをトラッキング方向及びフォーカス方向に移動可能に保持する二軸機構などが形成される。
またピックアップ３全体はスライド駆動部４によりディスク半径方向に移動可能とされている。
【００１９】
ディスク１からの反射光情報はフォトディテクタによって検出され、受光光量に応じた電気信号とされてＲＦアンプ８に供給される。
ＲＦアンプ８には、ピックアップ３内の複数のフォトディテクタからの出力電流に対応して電流電圧変換回路、マトリクス演算／増幅回路等を備え、マトリクス演算処理により必要な信号を生成する。例えば再生データであるＲＦ信号、サーボ制御のためのフォーカスエラー信号ＦＥ、トラッキングエラー信号ＴＥ、ＲＦ信号のピーク信号ＰＨ及びボトム信号ＢＨなどを生成する。
ＲＦアンプ８から出力される各信号は、信号処理ＤＳＰ９に供給される。
信号処理ＤＳＰ９は、所要の演算処理により各種信号処理機能を実現するものであるが、主にＲＦ信号について処理を行うデコード処理系１１と、サーボ動作のための処理を行うサーボ処理系１０が設けられる。
ＲＦアンプ８で得られたＲＦ信号はデコード処理系１１で処理され、またフォーカスエラー信号ＦＥ、トラッキングエラー信号ＴＥはサーボ処理系１０で処理される。
【００２０】
ＲＦ信号はデコード処理系１１において、２値化、ＰＬＬクロック生成、デコード処理、エラー訂正処理等が行われる。これらの処理によりディスク１からの再生データＤＴが得られ、所定の部位もしくは外部機器に出力される。
またデコード処理系１１では、ＲＦ信号に対するデコード並びにエラー訂正により得られた情報の中から、サブコード情報やアドレス情報を抽出し、これらの情報をコントローラ１２に供給する。
コントローラ１２は、例えばマイクロコンピュータで形成され、装置全体の制御を行う。
【００２１】
サーボ処理系１０は、ＲＦアンプ８からのフォーカスエラー信号ＦＥ、トラッキングエラー信号ＴＥや、デコード処理系１１でのＰＬＬクロック等から得られるスピンドルエラー信号等から、フォーカス、トラッキング、スレッド、スピンドルの各種サーボドライブ信号を生成しサーボ動作を実行させる。
即ちフォーカスエラー信号ＦＥ、トラッキングエラー信号ＴＥに応じてフォーカスドライブ信号、トラッキングドライブ信号を生成し、フォーカス／トラッキング駆動回路６に供給する。フォーカス／トラッキング駆動回路６は、ピックアップ３における二軸機構のフォーカスコイル、トラッキングコイルを駆動することになる。これによってピックアップ３、ＲＦアンプ８、サーボ処理系１０、フォーカス／トラッキング駆動回路６、二軸機構によるトラッキングサーボループ及びフォーカスサーボループが形成される。
【００２２】
サーボ処理系１０はさらに、スピンドルモータ駆動回路７に対してスピンドルエラー信号に応じて生成したスピンドルドライブ信号を供給する。スピンドルモータ駆動回路７はスピンドルドライブ信号に応じて例えば３相駆動信号をスピンドルモータ２に印加し、スピンドルモータ２の回転を実行させる。またサーボ処理系１０はコントローラ１２からのスピンドルキック／ブレーキ制御信号に応じてスピンドルドライブ信号を発生させ、スピンドルモータ駆動回路７によるスピンドルモータ２の起動、停止、加速、減速などの動作も実行させる。
【００２３】
またサーボ処理系１０は、例えばトラッキングエラー信号ＴＥの低域成分として得られるスライドエラー信号や、コントローラ１２からのアクセス実行制御などに基づいてスライドドライブ信号を生成し、スライド駆動回路５に供給する。スライド駆動回路５はスライドドライブ信号に応じてスライド駆動部４を駆動する。スライド駆動部４には図示しないが、ピックアップ３を保持するメインシャフト、スレッドモータ、伝達ギア等による機構を有し、スライド駆動回路５がスライドドライブ信号に応じてスライド駆動部４を駆動することで、ピックアップ３の所要のスライド移動が行なわれる。
【００２４】
このような再生装置におけるＲＦ信号の処理回路系を図２に示す。図２においてはＲＦアンプ８内のＲＦ信号に関する回路系のみを示し、また信号処理ＤＳＰ９内も、ＲＦ信号に関連する部分のみ（デコード処理系１１内）を示している。
ピックアップ３内に配置されるフォトディテクタ３０により、ディスク１に対してレーザ照射を行った際の反射光が検出される。フォトディテクタ３０としては、ＲＦ信号、フォーカスエラー信号、トラッキングエラー信号等を生成するために複数の受光面が所定のパターンに形成されており、各受光面から反射光量に応じた電気信号が出力され、ＲＦアンプ８に供給される。
フォトディテクタ３０の各受光面からの信号はＲＦサミングアンプ３１において演算処理され、例えば各受光面の和信号としてＲＦ信号が生成される。
ＲＦサミングアンプ３１から出力されるＲＦ信号は、コンデンサ３２でＤＣバイアス成分がカットされ、ＧＣＡ（ゲインコントロールアンプ）３３でゲインが与えられる。そしてイコライザ３４で処理されてＲＦアンプ８から出力される。
ＧＣＡ３３のゲインは、コントローラ１２によって可変制御される。
ＲＦアンプ８から出力されたＲＦ信号は、信号処理ＤＳＰ９（デコード処理系１１）においてアシンメトリ処理部４１で２値化等が行われ、デコーダ４２でデコード処理やエラー訂正処理が行われることで、上記したように再生データＤＴが得られる。
【００２５】
ＲＦサミングアンプ３１から出力されるＲＦ信号は、ピークホールド回路３５及びボトムホールド回路３６にも供給される。
ピークホールド回路３５では、ＲＦ信号エンベロープのピーク検出を行い、ピーク信号ＰＨを出力する。
ボトムホールド回路３６では、ＲＦ信号エンベロープのボトム検出を行い、ボトム信号ＢＨを出力する。
ピーク信号ＰＨは信号処理ＤＳＰ９においてＡ／Ｄ変換器４３でデジタルデータとしてのピーク信号ＰＨｄとされ、ディフェクト信号生成部４４に供給されて、ディスク上の傷や汚れの検出信号であるディフェクト信号ＤＦの生成に用いられる。
ボトム信号ＢＨは信号処理ＤＳＰ９においてＡ／Ｄ変換器４５でデジタルデータとしてのボトム信号ＢＨｄとされ、ミラー信号生成部４６に供給されて、トラックジャンプ／シーク時のトラバース信号との位相比較に用いられるミラー信号ＭＩＲＲの生成に用いられる。
また、Ａ／Ｄ変換器４３，４５から出力されるピーク信号ＰＨｄ、ボトム信号ＢＨｄはコントローラ１２にも供給される。
コントローラ１２内のメモリ１２ａとして、例えば不揮発性メモリが設けられる。このメモリ１２ａにはＲＦアンプ８から出力されるＲＦ信号としての目標電圧レベルの値が記憶される。
【００２６】
上述した図７，図８と比較してわかるように、本例の場合はＲＦアンプ８内にＡＧＣ回路系（図７のＡＧＣ制御部１０５）が設けられることはなく、また信号処理ＤＳＰ９内においてＲＦ信号レベル検出のための回路系（図８のＡ／Ｄ変換器１１４やゲイン制御部１１５）が設けられることはない。
そしてディスク１の反射率の面内バラツキに対応するためには、ＧＣＡ３３でＲＦ信号に与えるゲインが可変制御されるわけであるが、このゲイン制御は、コントローラ１２がピーク信号ＰＨｄ、ボトム信号ＢＨｄを用いて実行する。
【００２７】
コントローラ１２によるＧＣＡ３３に対するゲイン制御処理を図３に示す。再生時において、コントローラ１２は図３の処理を継続的に実行する。
コントローラ１２は、ステップＦ１０１として、ピーク信号ＰＨｄ及びボトム信号ＢＨｄを取り込む。次にステップＦ１０２で、ピーク信号ＰＨｄからボトム信号ＢＨを減算して、電圧Ｖ０とする。これはＲＦ信号のピーク−ボトム電圧であり、ＲＦ信号の振幅レベルに相当する。
ステップＦ１０３では、電圧Ｖ０と、メモリ１２ａに記憶された目標電圧レベルＶtargetを用いて、ＧＣＡ３３でＲＦ信号に与えるべきゲインｇを算出する。即ち、
ゲインｇ＝Ｖtarget／Ｖ０
として算出する。
そしてステップＦ１０４では、ステップＦ１０３で算出されたゲインｇとなるように、ＧＣＡ３３のゲインを可変制御する。
【００２８】
この図３の処理を継続して実行することで、ＲＦアンプ８から信号処理ＤＳＰ９のデコード処理系１１に供給されるＲＦ信号レベルは、ディスク１上での反射率のバラツキによらず、目標電圧レベルＶtargetに安定化されるものとなる。
つまり、図７，図８のような構成を採らずにＲＦ信号レベルの安定化が実現され、これによって消費電力の削減や回路規模の縮小を図ることができる。
また、ピークホールド回路３５，ボトムホールド回路３６，Ａ／Ｄ変換器４３，４５は、ディフェクト信号ＤＦやミラー信号ＭＩＲＲを生成するために、一般的に従来より搭載されている回路系である。従って、図７，図８のＡＧＣ制御部１０５やＡ／Ｄ変換器１１４を設けない代わりに新規な回路を設ける必要はなく、この点でも回路規模の縮小に好適となる。
【００２９】
＜第２の実施の形態＞
続いて第２の実施の形態を説明する。なお再生装置の構成は図１と同様である。
上記第１の実施の形態では、ピーク信号ＰＨｄ、ボトム信号ＢＨｄからＲＦ信号レベルを判別した。これはＲＦアンプ８から出力されるＲＦ信号自体のレベルを判別するのではなく、ＲＦ信号レベルを間接的に判別するものと言える。
ここで、ピーク信号ＰＨ、ボトム信号ＢＨは、ＲＦサミングアンプ１０１の出力としてのＲＦ信号のピーク値及びボトム値である。
一方、ＲＦアンプ８から出力されるＲＦ信号は、ＲＦサミングアンプ３１から出力された後、コンデンサ３２，ＧＣＡ３３，イコライザ３４を介したＲＦ信号である。また、ＲＦアンプ８内はアナログ信号処理回路である。
この場合、信号経路の違い、各回路部のゲインばらつきや構成素子の特性ばらつきなどの影響を受けることが考えられる。つまり、ピーク信号ＰＨｄ、ボトム信号ＢＨｄによって判別するＲＦ信号レベルは、実際にＲＦアンプ８から出力されるＲＦ信号レベルとレベル誤差が生じていると考えられる。
第２の実施の形態は、このレベル誤差分をも考慮してゲイン制御を行う例である。
【００３０】
図４において図１と同一部分は同一符号を付して説明を省略する。この図４の構成では、ＲＦアンプ８内にスイッチ３７が設けられる。スイッチ３７の端子ＴａにはＲＦサミングアンプ３１からＲＦ信号が供給される。またスイッチ３７の端子Ｔｂには、イコライザ３４からのＲＦ信号、即ちＲＦアンプ８から出力されるＲＦ信号が供給される。そしてスイッチ３７を介して、いずれかのＲＦ信号がピークホールド回路３５及びボトムホールド回路３６に供給される。スイッチ３７はコントローラ１２によって切換制御される。
【００３１】
この構成においてコントローラ１２は、まず上記のレベル誤差を学習し、再生時にはその学習したレベル誤差を加味したゲイン制御を行うものである。
コントローラ１２が実行するレベル誤差ΔＶの学習処理を図５に示す。この学習処理は、例えば再生装置の製造工程における調整時などにおいて行われればよい。
【００３２】
ΔＶ学習処理では、コントローラ１２はまずステップＦ２０１でスイッチ３７に端子Ｔａを選択させる。なお、ΔＶ学習処理の間、試験用ディスクなどで再生動作は行われているものとする。
端子Ｔａが接続されている状態で、コントローラ１２はステップＦ２０２でピーク信号ＰＨｄ、ボトム信号ＢＨｄを取り込む。つまり、ＲＦサミングアンプ３１から出力されるＲＦ信号についてのピーク／ボトムを検出する。
そしてステップＦ２０３で、ピーク信号ＰＨｄからボトム信号ＢＨｄを減算し、これを電圧Ｖ２とする。
【００３３】
続いてコントローラ１２はステップＦ２０４で、スイッチ３７を端子Ｔｂに切り換える。そして端子Ｔｂが接続されている状態で、ステップＦ２０５でピーク信号ＰＨｄ、ボトム信号ＢＨｄを取り込む。つまり、イコライザ３４から出力されるＲＦ信号についてのピーク／ボトムを検出する。ステップＦ２０６では、ピーク信号ＰＨｄからボトム信号ＢＨｄを減算し、これを電圧Ｖ１とする。
そしてステップＦ２０７では、電圧Ｖ１から電圧Ｖ２を減算し、これをレベル誤差ΔＶとし、ステップＦ２０８でレベル誤差ΔＶをメモリ１２ａに記憶して、学習処理を終える。
以上の処理で、通常の再生時に検出されるピーク信号ＰＨｄ、ボトム信号ＢＨｄから判別されるＲＦ信号レベルと、実際にＲＦアンプ８から出力されるＲＦ信号レベルのレベル誤差ΔＶが学習されたことになる。
【００３４】
通常の再生時に行われるゲイン制御処理は図６のようになる。
再生時には、ディフェクト信号ＤＦやミラー信号ＭＩＲＲの生成のため、スイッチ３７は常に端子Ｔｂとしておく必要がある。
ステップＦ３０１として、スイッチ３７の端子Ｔｂを接続することを示しているが、基本的には、機器出荷前の調整工程における上記学習処理以外は、常に端子Ｔｂが接続される。
【００３５】
コントローラ１２は、ステップＦ３０２として、ピーク信号ＰＨｄ及びボトム信号ＢＨｄを取り込む。次にステップＦ３０３で、ピーク信号ＰＨｄからボトム信号ＢＨを減算して電圧Ｖ０とする。つまりこれは、ＲＦサミングアンプ３１から出力されるＲＦ信号についての振幅レベルである。
ステップＦ３０４では、電圧Ｖ０と、メモリ１２ａに記憶された目標電圧レベルＶtarget及びレベル誤差ΔＶを用いて、ＧＣＡ３３でＲＦ信号に与えるべきゲインｇを算出する。即ちこの場合、
ゲインｇ＝Ｖtarget／（Ｖ０＋ΔＶ）
として算出する。
そしてステップＦ３０５では、ステップＦ３０４で算出されたゲインｇとなるように、ＧＣＡ３３のゲインを可変制御する。
【００３６】
この図６の処理を継続して実行することで、上記第１の実施の形態と同様、ＲＦアンプ８から信号処理ＤＳＰ９のデコード処理系１１に供給されるＲＦ信号レベルは、ディスク１上での反射率のバラツキによらず目標電圧レベルＶtargetに安定化されるものとなり、また消費電力の削減や回路規模の縮小が実現されるが、さらにはＲＦアンプ８内の信号経路によるレベル誤差ΔＶも考慮されて、適切なゲイン調整が行われることになる。即ち第１の実施の形態の場合よりも高精度なゲイン調整が行われる。
なお、図５の学習処理は、通常は出荷前の調整で行うのみで良いが、例えば経時変化や温度状況などによるレベル誤差の発生が考えられる場合は、ユーザーサイドでの使用時などでも、適切な時点で行われるようにしても良い。
【００３７】
以上、実施の形態を説明してきたが、本発明のゲイン調整方法は再生専用装置だけでなく、記録再生装置でも適用できる。
また各種の光ディスク、光磁気ディスク、光カードなどの記録媒体とするシステムにおいて本発明は広く適用できる。
【図面の簡単な説明】
【００３８】
【図１】本発明の実施の形態の再生装置のブロック図である。
【図２】第１の実施の形態のＲＦ処理系のブロック図である。
【図３】第１の実施の形態のＲＦゲイン制御処理のフローチャートである。
【図４】第２の実施の形態のＲＦ処理系のブロック図である。
【図５】第２の実施の形態のΔＶ学習処理のフローチャートである。
【図６】第２の実施の形態のＲＦゲイン制御処理のフローチャートである。
【図７】従来のＲＦ処理系のブロック図である。
【図８】従来のＲＦ処理系のブロック図である。
【符号の説明】
【００３９】
１  ディスク、３  ピックアップ、８  ＲＦアンプ、９  信号処理ＤＳＰ、１０  サーボ処理部、１１  デコード処理部、１２  コントローラ、１２ａ  メモリ、３１  ＲＦサミングアンプ、３２  コンデンサ、３３  ＧＣＡ、３４  イコライザ、３５  ピークホールド回路、３６  ボトムホールド回路、３７  スイッチ、４３，４５  Ａ／Ｄ変換器
【図１】
2005317154.tif 000003
【図２】
2005317154.tif 000004
【図３】
2005317154.tif 000005
【図４】
2005317154.tif 000006
【図５】
2005317154.tif 000007
【図６】
2005317154.tif 000008
【図７】
2005317154.tif 000009
【図８】
2005317154.tif 000010